(57)【要約】      （修正有）【課題】長期間にわたって内部の液体状化粧料に水素が溶存させることができる容器を提供すること。【解決手段】水素溶存化粧料容器は、水素溶存化粧料容器から液体状化粧料を吸引するための吸引チューブ８を備えるポンプ部材を有し、少なくとも一部が水素透過性シートで形成され、水素ガスが封入された水素格納部２等を備え、水素格納部２は、吸引チューブ８の下端部近傍に配置され、水素透過性シートが液体状化粧料と接触する構成になっている。【選択図】図３
2018171290.tif 000002
【特許請求の範囲】
【請求項１】
液体状化粧料を収容する水素溶存化粧料容器であって、
少なくとも一部が水素透過性シートで形成され、水素ガスが封入された水素格納部を備え、
前記水素透過性シートが前記液体状化粧料と接触する構成になっている水素溶存化粧料容器。
【請求項２】
前記水素溶存化粧料容器から前記液体状化粧料を吸引するための吸引チューブを備えるポンプ部材を有し、
前記水素格納部は、前記吸引チューブの周囲に配置される、
請求項１に記載の水素溶存化粧料容器。
【請求項３】
前記水素格納部は、前記吸引チューブの下端部近傍に配置される、
請求項２に記載の水素溶存化粧料容器。
【請求項４】
前記水素格納部は、前記水素溶存化粧料容器の底部近傍に固定される、請求項１に記載の水素溶存化粧料容器。
【請求項５】
前記水素格納部は、前記水素溶存化粧料容器の内側の側壁に沿って配置され、前記水素溶存化粧料容器の底部近傍に固定される、請求項１に記載の水素溶存化粧料容器。
【発明の詳細な説明】
【技術分野】
【０００１】
本発明は、水素を一定期間にわたって内部の液体状化粧料に溶存可能とする容器に関するものである。
【背景技術】
【０００２】
高濃度の水素を溶存させた飲料水（例えば水、お茶、ジュース等）が現在様々な形で提供されている（特許文献１、２）。この水素を溶存させた飲料水は、健康に害をもたらす活性酸素を還元して消滅させる効果を有すると言われている。また溶存させた水素を利用した化粧水などの化粧料も同様の効果を有し、化粧水をはじめとして液状の歯磨剤、シャンプーなどの浴用剤など多種多様な化粧料が販売されている。
【先行技術文献】
【特許文献】
【０００３】
特許文献1 : 特開２００３−１７５３９０号公報
特許文献2 : 特開２００５−１６１２０９号公報
【発明の概要】
【発明が解決しようとする課題】
【０００４】
しかし、飲料水と異なり液状の化粧料は、数か月など長期にわたって使用するものであるため、化粧料に含有している水素は、程度の差はあるものの炭酸飲料の二酸化炭素が溶出するように徐々に溶出する。このため化粧料の容器を開封した当初には化粧品に水素が溶存していたが、一定期間経過した後は水素が溶出して開封当初の効果を得ることができないという問題があった。よって、長期間にわたって水素が溶存させることができる容器及びその容器に入った水素含有化粧料を提供することが、本発明が解決しようとする課題である。
【課題を解決するための手段】
【０００５】
本発明は、上記課題を解決すべく次のような技術的手段を講じた。
【０００６】
第一の発明は、液体状化粧料を収容する水素溶存化粧料容器であって、少なくとも一部が水素透過性シートで形成され、水素ガスが封入された水素格納部を備え、前記水素透過性シートが前記液体状化粧料と接触する構成になっている水素溶存化粧料容器である。
【０００７】
第二の発明は、第一の発明の構成において、前記水素溶存化粧料容器から前記液体状化粧料を吸引するための吸引チューブを備えるポンプ部材を有し、前記水素格納部は、前記吸引チューブの周囲に配置される、水素溶存化粧料容器である。
【０００８】
第三の発明は、第二の発明の構成において、前記水素格納部は、前記吸引チューブの下端部近傍に配置される、水素溶存化粧料容器である。
【０００９】
第四の発明は、第一の発明の構成において、前記水素格納部は、前記水素溶存化粧料容器の底部近傍に固定される、水素溶存化粧料容器である。
【００１０】
第五の発明は、第一の発明の構成において、前記水素格納部は、前記水素溶存化粧料容器の内側の側壁に沿って配置され、前記水素溶存化粧料容器の底部近傍に固定される、請求項１に記載の水素溶存化粧料容器である。
【発明の効果】
【００１１】
本発明によれば、水素格納部から徐々に水素が液状の化粧料に浸透する。よって、この容器を使用により長期間にわたって水素が液体状化粧料に含有することとなる。また、本発明の水素溶存化粧料容器に封入された化粧料に水素を含有させた状態を保持でき、化粧料の使用者が、含有した水素による効果を長期にわたって得ることができる。
【図面の簡単な説明】
【００１２】
【図１】第一の実施形態の硬質化粧料容器の側面図である。
【図２】化粧料を封入する水素溶存化粧料容器の側面図である。
【図３】水素格納部近傍の概略拡大図である。
【図４】水素溶存化粧料容器の組立説明図である。
【図５】水素溶存化粧料容器を硬質容器に挿入する場合の組立説明図である。
【図６】水素溶存化粧料容器を硬質容器に挿入した後の部分正面断面図である。
【図７】水素溶存化粧料容器のポンプ部材の動作説明図である。
【図８】水素溶存化粧料容器のポンプ部材の動作説明図である。
【図９】水素溶存化粧料容器のポンプ部材の動作説明図である。
【図１０】第二の実施形態の硬質化粧料容器の側面図である。
【図１１】水素格納部近傍の概略拡大図である。
【図１２】第三の実施形態の硬質化粧料容器の側面図である。
【図１３】水素格納部近傍の概略拡大図である。
【発明を実施するための形態】
【００１３】
＜第一実施形態＞
本発明の実施の形態について以下図面と共に説明する。なお本明細書で水素溶存化粧料容器の「上下」の表現は、図１においての上下を基準として「上下」とし、容器中央の上下軸から見て吐出口１２がある側を「前」、反対側を「後」とする。なお液体状化粧料とは、コロイド溶液を含む液体の化粧料を言い、具体的には化粧液をはじめ歯磨剤、浴用剤などを言う。
【００１４】
図１には、本発明の第一実施形態にかかる、硬質化粧料容器の側面図を、図２には本発明の実施形態にかかる水素溶存化粧料容器単体の側面図を、図３には水素格納部近傍の概略拡大図を、図４には図２の水素溶存化粧料容器の組立説明図を示す。
【００１５】
水素溶存化粧料容器は、水素不透過材から構成した袋状の軟質容器３の開口部に、手動式のポンプ部材４を気密に接合することにより構成する。水素不透過材とは、例えばレトルトパウチに使用される軟質の積層シートが該当し、外層にポリエステル（ＰＥＴ）、中間層にアルミ箔、内層に無延伸ポリプロピレン（ＣＰＰ）を用いて積層加工を行って製作する。本発明の実施形態で軟質容器３は、２枚の上下に長い積層シートの左右両端を熱溶着すると共に、底部分にはマチを作るため底面シートを溶着し、化粧料を封入した時点で水素溶存化粧料容器が自立するように構成する。
【００１６】
ポンプ部材４は、公知の手動式のポンプ機構を有し、ポリプロピレン（ＰＰ）等により構成する。公知のポンプ機構とは、二つの逆止弁もしくは逆止弁のような機構を上下に並べ、ポンプの頭部分を押圧することで、両弁の間の液体を吐出した後、ポンプの頭部分が元の位置に戻ることで内部の液体を両弁の間に吸い上げる構成等を言う。本実施形態では使用者が押圧部１３を上から押圧することで、吐出口１２から一定量ずつ化粧料を外部へ吐出すると共に、押圧部１３の内部に備えた付勢部材で押圧部１３がもとの位置に戻るときに、吸引チューブ８から軟質容器３内の液体状化粧料を一定量ずつ吸引する。このポンプ部材４の動作については後述する。
【００１７】
ポンプ部材４は、軟質容器３の開口部に接着するための基部を備える。この基部に対して袋状の軟質容器３を熱溶着することで気密に接合する。また、この基部には、後述する硬質容器６に対して、水素溶存化粧料容器を固定するためのフランジ１０を設ける。
【００１８】
本発明の実施形態にかかる水素溶存化粧料容器は、円筒状の水素格納部２を備える。図３に示すように、水素格納部２は、中空の円筒状の部材であり、吸引チューブ８の周囲であって、吸引チューブ８の下端部近傍に配置される。水素格納部２において、少なくとも外側面２ａは、水素透過性シートで構成されている。外側面２ａは、軟質容器３に液体状化粧料が収容されたときに、液体状化粧料と接する面である。ここで水素格納部２を構成する水素透過性シートとは、水素がそのシートを一定の割合で通過するシートをいい、通常のビニールシートが該当する。水素の通過の割合については、シートを構成する材料により調整可能である。例えばシリカを混入すると、通過する水素の割合は減少する。また水素格納部２の一部を水素透過性シートとすることも可能である。
【００１９】
水素格納部２には、逆止弁５を設ける。この逆止弁５は、エアクッションや布団圧縮袋に一般的に用いられる公知のものであり、この逆止弁５に、水素を注入するためのパイプを差し込むことで、容易に水素を注入することができるとともに、このパイプを抜き取ることで容易に封止することができる。なお水素格納部２に封入する水素は、水素発生器により発生させたものを用いる。
【００２０】
水素溶存化粧料容器の組立方法について図４により説明する。まずポンプ部材４を構成する基部と、袋状の軟質容器３とを熱溶着により気密に接合する。水素を封入した水素格納部２は、ポンプ部材４の吸引チューブ８と共に、軟質容器３の内部に配置される。次に液体状化粧料を軟質容器３内に所定量入れる。そしてポンプ部材４の基部に形成したねじにより、ポンプ部材４のポンプ機構を内蔵した部分を固定する。この状態で、水素溶存化粧料容器に封入した水素含有化粧料として流通させることが可能となる。
【００２１】
水素不透過材から構成した軟質容器３に液体状化粧料が入れられることにより、水素格納部２から徐々に水素が液状の化粧料に浸透する。これにより、長期間にわたって水素が化粧料に含有することとなる。さらに、水素格納部２が、吸引チューブ８の先端部近傍に配置されていることにより、水素格納部２から排出された水素が液体状化粧料に接している時間が長くなるから、水素が液体状化粧料に効率良く溶け込む。
【００２２】
また、この軟質容器３の開口部に、軟質容器３内の液体状化粧料を吸引して外部に取り出す手動式のポンプ部材４を気密に接合した構成である水素溶存化粧料容器であることにより、化粧料から溶出した水素の外部への放出量を抑えることができる。これによっても長期間にわたって水素が化粧料に含有することとなる。
【００２３】
水素格納部２に、逆止弁５を設けたことにより、水素格納部２に水素を封入する作業を容易に行うことができる。
【００２４】
水素不透過材が、水素を透過しない軟質シートであることにより、水素溶存化粧料容器を安価に制作することができる。また水素溶存化粧料容器の形状を扁平にできるので輸送時のコストを抑えることができる。
【００２５】
図５には水素溶存化粧料容器を硬質容器６に挿入する場合の組立説明図を、図６には水素溶存化粧料容器を硬質容器６に挿入した後の部分正面断面図を示す。化粧料の入れ物は、内部の化粧料に対応する、重厚で洗練された外観を有することが求められる。高級な化粧料は通常硬質な容器に封入されることが多い。しかし、化粧料を使用した後は、これらの硬質容器は廃棄されることとなり、資源が無駄遣いされると共に、入れ物のコストが化粧料の販売価格に占める割合が大きくなっていた。
【００２６】
本発明の実施形態にかかる水素溶存化粧料容器に封入した化粧料については、水素溶存化粧料容器に当該化粧料を封入した後、更にこの水素溶存化粧料容器を内部に収容する硬質容器６を設ける。流通可能な状態とした水素溶存化粧料容器を硬質容器６に挿入し、硬質容器６の口縁に設けた切欠き部に水素溶存化粧料容器のフランジ１０をはめ込み、固定リング９を硬質容器６にねじ止めすることで、硬質容器６に水素溶存化粧料容器を固定する。固定リング９の内径は、水素溶存化粧料容器のポンプ部材４の押圧部１３が通過する大きさとし、固定リング９により水素溶存化粧料容器を硬質容器６に固定しても、ポンプ部材４の押圧部１３を、硬質容器６から外向きに張出して配置することができる。
【００２７】
水素溶存化粧料容器を内部に収容する硬質容器６を設けたことにより、水素溶存化粧料容器のみを交換することができる。よって硬質容器６を無駄に廃棄することがなくなり、化粧料の製造費用を抑えることができると共に、廃棄物を減量することができる。
【００２８】
ポンプ部材４の押圧部１３を硬質容器６から外向きに張出して配置することにより、化粧料を使用する度に硬質容器６から水素溶存化粧料容器を取り出す必要がない。
【００２９】
ポンプ部材４の動作及び作用について図７から図９に基づいて説明する。図７から図９は図２の水素溶存化粧料容器のポンプ部材４の動作の説明図であり、ポンプ部材４の側面断面図である。図７は押圧部１３に化粧料の使用者の指の圧力が加わっていない休止モードの状態を示し、図８は、使用者の押圧により初期圧力がかかった状態の第一加圧モードの状態を示し、図９は使用者の押圧により押圧部１３が下がりきった状態の第二加圧モードの状態を示す。
【００３０】
まずポンプ部材４のポンプ機構について説明する。軟質容器３の基部とねじ止めするためのキャップ１８１の外側に装飾蓋１８２を設け、キャップ１８１には、吸引チューブ８と連通する筒状のハウジング１６１を固定する。ハウジング１６１の下部中央には孔を設け、この孔を塞ぐようにダイアフラム弁１６２を設ける。このダイアフラム弁１６２は逆止弁であり、ハウジング１６１の下面中央の孔を塞ぐための円板と、その円板の外周に設けた化粧料の通過孔とを有する。内部空間Ｓの圧力が外部より低くなると、ダイアフラム弁１６２の円板がハウジングの下面中央の孔より持ち上がり、吸引チューブ８を通じて化粧料が内部空間Ｓに流入する。
【００３１】
ハウジング１６１に対して上下に相対移動可能に、ステムサポータ１５４を設ける。このステムサポータ１５４は、キャップ１８１の内径に案内され、ハウジング１６１等に対して上下に動作可能とする。ステムサポータ１５４とキャップ１８１との間には第一圧縮スプリング１４３を設け、ステムサポータ１５４を上方向に常に付勢する。ステムサポータ１５４内側には中央ステム１５１を上下移動不能に固定する。この中央ステム１５１には横孔１５３が設けられている。中央ステム１５１とステムサポータ１５４との間には、上下に相対動作可能なリングピストン１７１を設ける。このリングピストン１７１の上部にはステムサポータ１５４の下部と係合する溝を設けると共に、リングピストン１７１の下部には中央ステム１５１の下部の上向き突起と係合する下凹部１５２を設ける。リングピストン１７１の内周と中央ステム１５１の外周とは比較的ゆるく嵌合すると共に、リングピストン１７１の外周とハウジング１６１の内周とは比較的きつく嵌合する。なおリングピストン１７１には、上下に通じる溝を設ける。
【００３２】
図７の休止モードでは、リングピストン１７１の下部が、中央ステム１５１の下凹部１５２に入り込む。使用者が押圧部１３を押圧すると、中央ステム１５１が下に下がり、リングピストン１７１はハウジング１６１との間との摩擦によりそのままの位置を保持するので、リングピストン１７１の下部と、中央ステム１５１の下部との間には隙間ができる。この部分が逆止弁の作用を有し、第一加圧モードから図９の第二加圧モードに至る際にもこの隙間は維持され、この隙間からリングピストン１７１の上下に通じる溝、中央ステム１５１の横孔１５３を通って内部空間Ｓに滞留していた化粧料が中央ステム１５１の筒内室へ流入する。
【００３３】
このように二つの逆止弁の作用を有する要素を上下に並べることでポンプ機構を構成する。
【００３４】
本発明の第一実施形態にかかるポンプ部材４には、上記ポンプ機構に加えて吐出口１２にシャットオフバルブ１２０を設ける。このシャットオフバルブ１２０は、従来液状の化粧料が吐出口１２から垂れることを防止したり、ポンプ機構を構成する、吐出口に近い側のバルブから吐出口までに残存する化粧料の酸化を防止したりするために設ける。
【００３５】
ポンプ部材４の上部には、化粧料の使用者が押圧するための押圧部１３を設け、この押圧部１３を下方に押圧することで、化粧料が外部へ取り出される。押圧部１３は押圧部外殻１３１と押圧部内殻１３２とから構成し、この押圧部外殻１３１等に、吐出口１２を構成する吐出口外筒１２１を固定する。吐出口１２はこの吐出口外筒１２１と、この吐出口外筒１２１に対して前後に動作する吐出口内軸１２２とにより構成する。ポンプ機構を構成するステムサポータ１５４に有底円筒状の上受部１４１を設け、この上受部１４１は、押圧部外殻１３１とは上下に相対的に動作することができ、上受部１４１と押圧部内殻１３２との間には、第二圧縮スプリング１３３、１３３を設ける。第二圧縮スプリング１３３、１３３は、吐出口外筒１２１の両側方に一対として設け、第二圧縮スプリング１３３、１３３を並列に並べた場合のばね定数が第一圧縮スプリング１４３のばね定数よりも小さくする。上受部１４１には、吐出口内軸１２２の後係合部１２３と係合するための傾斜係合部１４２を立設する。この傾斜係合部１４２の後係合部１２３と係合する部分は、後方に向けて下がり傾斜とする。
【００３６】
図７の休止モードから使用者が押圧部１３を押すと、その押圧操作により第一圧縮スプリング１４３が縮むと共に、第二圧縮スプリング１３３、１３３も縮み、図８で示す第一加圧モードになる。第一圧縮スプリング１４３が縮むので、第一加圧モードでは先に述べたように中央ステム１５１の下部とピストン１７１の下部との間に隙間ができる。これと連動して第二圧縮スプリング１３３、１３３も縮むので上受部１４１と押圧部内殻１３２との上下距離が縮み、これに従って吐出口内軸１２２が上受部１４１の傾斜係合部１４２により後方へ移動し、吐出口内軸１２２の陥入部１２４も後方へ移動するので、吐出口１２が開く。図７の第一加圧モードから図９の第二加圧モードに移行する際に、内部空間Ｓの容積は小さくなり、内部に滞留した化粧料が図９の矢印で示すように中央ステム１５１の内筒から吐出口１２を通じて外部へ吐出される。
【００３７】
化粧料の使用者が押圧部１３の押圧操作を止める弛緩モードでは、第二圧縮スプリング１３３、１３３の付勢力により上受部１４１と押圧部内殻１３２との上下距離が開き、これに従って吐出口内軸１２２が傾斜係合部１４２の傾斜に従って前方へ移動する。これにより吐出口１２が閉じる。加えて押圧操作を止めると、第一圧縮スプリング１４３の付勢力によりステムサポータ１５４と中央ステム１５１とが上方向に移動し、中央ステム１５１の下部にある下凹部１５２とリングピストン１７１の下部とが嵌合し、隙間をなくす。これにより内部空間Ｓの気圧が下がり、ダイアフラム弁１６２を通じて軟質容器３内部の化粧料が内部空間Ｓへ流入する。
【００３８】
ポンプ部材４の吐出口１２に備えたシャットオフバルブ１２０が、ポンプ部材４への押圧操作に連動して吐出口１２を開いて軟質容器３内の液体状化粧料を吐出すると共に、押圧操作を止めると吐出口１２を閉じることにより、ポンプ部材４内に滞留する化粧料に含有した水素の外部への放出量を抑えることができる。これにより、バルブ部材４に滞留した化粧料についても長期間にわたって水素が化粧料に含有することとなる。
【００３９】
本発明にかかる水素を含有した化粧料の使用方法について説明する。まず使用者は、図１のように硬質容器６に水素溶存化粧料容器が固定され、キャップ７を設けた状態で、化粧料を購入する。この場合水素溶存化粧料容器には、水素を封入した水素格納部２と共に化粧料が入れてあり、ポンプ部材４を通じて少量ずつ抜けている水素に対応して、水素格納部２より水素が透過して、内部の化粧料に溶存する水素量を一定に保つ。ポンプ部材４には、ポンプ機構と共にシャットオフバルブ１２０も設けてあるので、抜け出る水素の量は少なく抑えることができ、さらに水素格納部２からの水素の透過により、化粧料を使い切る２、３か月の間、封入された化粧料内には水素が溶存することとなる。なお、軟質容器３を軟質なシートから構成しているので、化粧料を使用して内容物が少なくなるごとに軟質容器３の厚さが薄くなる。
【００４０】
次に、一体として購入した水素を含有した化粧料を使い切ると、使用者は水素溶存化粧料容器のみに封入している状態の水素を含有した化粧料を購入する。この場合、硬質容器６を伴わないので、使用者は、より安価に水素を含有した化粧料を購入することができる。購入後使用者は、固定リング９を外して、化粧料が入っていない水素溶存化粧料容器を抜き取り、購入した水素溶存化粧料容器を硬質容器６内に入れ、固定リング９により固定する。こうすることで、高価な硬質容器６については継続して利用することができ、廃棄物を少なくすることができる。
【００４１】
＜第二実施形態＞
次に、図１０及び図１１を参照して、第二実施形態を説明する。なお、第一実施形態と共通する点は説明を省略する。
【００４２】
第二実施形態においては、水素格納部２２は、軟質容器３の底部近傍に固定されている。
水素格納部２２は、内部が水素格納用の空洞になった円板状の部材である。水素格納部２２において、少なくとも外側面２２ａは、水素透過性シートで構成されている。外側面２２ａは、軟質容器３に液体状化粧料が収容されたときに、液体状化粧料と接する面である。外側面２２ａの外形は軟質容器３の内形とほぼ同一であるが、わずかに小さい。
【００４３】
水素格納部２２は、ポンプ部材４を構成する基部と、袋状の軟質容器３とが熱溶着により気密に接合される前の工程において、軟質容器３の底部近傍に固定される。
【００４４】
水素格納部２２が、軟質容器３の底部近傍に配置されていることにより、水素格納部２２から排出された水素が液体状化粧料に接している時間が長くなるから、水素が液体状化粧料に効率良く溶け込む。さらに、外側面２２ａの外形が軟質容器３の内形とほぼ同一であるから、水素は、液体状化粧料の全体にわたって、下方から上方へ移動するから、水素が液体状化粧料に一層効率よく溶け込む。
【００４５】
＜第三実施形態＞
次に、図１２及び図１３を参照して、第三実施形態を説明する。なお、第一実施形態と共通する点は説明を省略する。
【００４６】
第三実施形態においては、水素格納部２４は、軟質容器３の底部近傍に固定されている。また、水素格納部２４は、軟質容器３の内側の側壁に沿って配置されている。水素格納部２４は、内部が水素格納用の空洞になった円筒状の部材である。水素格納部２４において、少なくとも内面２４ａは、水素透過性シートで構成されている。内側面２４ａは、軟質容器３に液体状化粧料が収容されたときに、液体状化粧料と接する面である。
【００４７】
水素格納部２４は、ポンプ部材４を構成する基部と、袋状の軟質容器３とが熱溶着により気密に接合される前の工程において、軟質容器３の底部近傍に固定される。
【００４８】
水素格納部２４が、軟質容器３の底部近傍に配置されていることにより、水素格納部２４から排出された水素が液体状化粧料に接している時間が長くなるから、水素が液体状化粧料に効率良く溶け込む。
【００４９】
本発明にかかる実施形態として、水素格納部２等を軟質容器３に入れる構成を説明したが、水素不透過材から構成した軟質容器３の内部を水素透過性シートにより、２つに区分して、その中の一つに水素を封入することも可能である。
【００５０】
また、水素格納部２等に逆止弁５を設けたが、よりコストを抑えるために逆止弁５を設けずに熱溶着等で封止することも可能である。
【００５１】
また、水素不透過材として軟質シートを用いたが、この部分を、水素を通過させない、硬質の材料で構成することも可能である。
【符号の説明】
【００５２】
１  水素溶存化粧料容器
２，２２，２４  水素格納部
３  軟質容器
４  ポンプ部材
５  逆止弁
６  硬質容器
１２  吐出口
１３  押圧部
１２０  シャットオフバルブ
【図１】
2018171290.tif 000003
【図２】
2018171290.tif 000004
【図３】
2018171290.tif 000005
【図４】
2018171290.tif 000006
【図５】
2018171290.tif 000007
【図６】
2018171290.tif 000008
【図７】
2018171290.tif 000009
【図８】
2018171290.tif 000010
【図９】
2018171290.tif 000011
【図１０】
2018171290.tif 000012
【図１１】
2018171290.tif 000013
【図１２】
2018171290.tif 000014
【図１３】
2018171290.tif 000015